(57)【要約】【課題】蓄光材料を効率よく利用しながら、発光時における明るさのむらを目立たなくすることができる蓄光部材を提供する。【解決手段】蓄光部材１は、所定のパターンで配列された蓄光要素３１を含む蓄光パターン層３０と、蓄光パターン層３０の一方の側に設けられた拡散層５０と、蓄光パターン層３０から離間するようにして当該蓄光パターン層３０の他方の側に設けられた反射層４０と、を備える。【選択図】図３
2015052763.tif 000002
【特許請求の範囲】
【請求項１】
予め定められたパターンで配列された蓄光要素を含む蓄光パターン層と、
前記蓄光パターン層の一方の側に設けられ、前記蓄光要素から放出された光の進行方向を変化させる拡散層と、
前記蓄光パターン層から離間して当該蓄光パターン層の他方の側に設けられた反射層と、を備える、蓄光部材。
【請求項２】
前記拡散層の前記蓄光パターン層とは反対側を向く面上の位置であって、隣り合う蓄光要素の２つの部分の中央となる位置に対面する位置から、当該隣り合う蓄光要素の２つの部分のうちの一方から放出された光の一部が当該拡散層の法線方向に沿って出射し、当該隣り合う蓄光要素の２つの部分のうちの他方から放出された光の一部も、前記位置から当該拡散層の法線方向に沿って出射する、請求項１に記載の蓄光部材。
【請求項３】
前記拡散層の法線方向に沿った断面において隣り合う蓄光要素の２つの部分の離間間隔は、当該隣り合う蓄光要素の各部分の前記断面における幅よりも狭い、請求項１または２に記載の蓄光部材。
【請求項４】
前記拡散層は、前記蓄光要素の拡散層側を向く面を覆っている、請求項１乃至３のいずれか一項に記載の蓄光部材。
【発明の詳細な説明】
【技術分野】
【０００１】
本発明は、光を蓄えて発光する蓄光材料を備える蓄光部材に係り、とりわけ、発光時における明るさのむらを目立たなくすることができる発光可能な蓄光部材に関する。
【背景技術】
【０００２】
太陽光や電灯からの光を蓄積し、蓄積した光を放出する蓄光材料を備える蓄光部材が知られている。蓄光部材は、夜間や暗闇において特定の場所や物の位置、例えば階段の踏み板の位置を示すために用いられる（例えば特許文献１参照）。
【先行技術文献】
【特許文献】
【０００３】
【特許文献１】特開平８−２０７１９４号公報
【発明の概要】
【発明が解決しようとする課題】
【０００４】
蓄光材料は、高価であるため、蓄光材料の使用量を抑えることが好ましい。蓄光材料の使用量を抑えるためには、蓄光材料を所定のパターンで配列することが有効である。しかしながら、蓄光材料を所定のパターンで配列すると、蓄光材料が設けられていない部分が暗く視えてしまい、明るさにむらができてしまう。
【０００５】
本発明は、このような点を考慮してなされたものであり、蓄光材料を効率よく利用しながら、発光時における明るさのむらを目立たなくすることができる蓄光部材を提供することを目的とする。
【課題を解決するための手段】
【０００６】
本発明による蓄光部材は、予め定められたパターンで配列された蓄光要素を含む蓄光パターン層と、
前記蓄光パターン層の一方の側に設けられ、前記蓄光要素から放出された光の進行方向を変化させる拡散層と、
前記蓄光パターン層から離間して当該蓄光パターン層の他方の側に設けられた反射層と、を備える。
【０００７】
本発明による蓄光部材において、前記拡散層の前記蓄光パターン層とは反対側を向く面上の位置であって、隣り合う蓄光要素の２つの部分の中央となる位置に対面する位置から、当該隣り合う蓄光要素の２つの部分のうちの一方から放出された光の一部が当該拡散層の法線方向に沿って出射し、当該隣り合う蓄光要素の２つの部分のうちの他方から放出された光の一部も、前記位置から当該拡散層の法線方向に沿って出射してもよい。
【０００８】
本発明による蓄光部材において、前記拡散層の法線方向に沿った断面において隣り合う蓄光要素の２つの部分の離間間隔は、当該隣り合う蓄光要素の各部分の前記断面における幅よりも狭くてもよい。
【０００９】
本発明による蓄光部材において、前記拡散層は、前記蓄光要素の拡散層側を向く面を覆っていてもよい。
【発明の効果】
【００１０】
本発明によれば、蓄光材料を効率よく利用しながら、発光時における明るさのむらを効果的に目立たなくすることができる。
【図面の簡単な説明】
【００１１】
【図１】本発明の一実施の形態による蓄光部材の一例を示す概略断面図である。
【図２】図１に示す蓄光部材の蓄光要素の配列パターンを示す概略平面図である。
【図３】図１に示す蓄光部材の蓄光要素が発光した状態を示す部分断面図である。
【図４】図１に示す蓄光部材に外光が入射した状態を示す部分断面図である。
【図５】図１に示す蓄光部材の一使用例を示す概略平面図である。
【図６】図１に示す蓄光部材の蓄光要素の他の配列パターンを示す概略平面図である。
【図７】図１に示す蓄光部材の拡散層の一変形例を示す部分断面図である。
【発明を実施するための形態】
【００１２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１乃至図７は本発明による一実施の形態及びその変形例を説明するための図である。このうち図１は、本発明の一実施の形態による蓄光部材の一例を示す概略断面図であり、図２は、図１に示す蓄光部材の概略平面図である。
【００１３】
図１に示すように、蓄光部材１は、シート状のシート部１０と、当該シート部１０の一方の面に設けられた蓄光パターン層３０と、シート部１０の他方の面に設けられた反射層４０と、を備えている。また、蓄光パターン層３０のシート部１０とは反対となる側に、拡散層５０が設けられている。図１に示す蓄光部材１では、蓄光パターン層３０に含まれる蓄光要素３１に外光を吸収させて蓄える。そして、蓄光パターン層３０の蓄光要素３１が蓄えた光を放出して、蓄光部材１は発光する。以下、このような蓄光部材１をなす各構成要素について詳述していく。
【００１４】
先ず、シート部１０及びシート部１０に積層された蓄光パターン層３０について説明する。シート部１０は、蓄光パターン層３０の蓄光要素３１を支持すると共に、入射する外光及び蓄光要素３１からの光を有効に透過させる機能を有している。シート部１０は、シート状に形成され、互いに平行な一方の面と他方の面とを有している。このうち、シート部１０の一方の面に、蓄光パターン層３０がスクリーン印刷によって形成されている。すなわち、シート部１０の一方の面に隣接して蓄光パターン層３０が形成されている。一方、シート部１０の他方の面に、反射層４０が積層されている。これらシート部１０の一方の面及び他方の面は、後述する拡散層５０のシート面５０ａと平行になっている。
【００１５】
このようなシート部１０をなす材料は、光を多く透過することができるよう、透明性の高い材料が好ましい。シート部１０をなす材料として、例えば、ポリエチレンテレフタレート、アクリル、ポリカーボネートを用いることができる。
【００１６】
なお、本明細書において、「フィルム」、「シート」、「板」の用語は、呼称の違いのみに基づいて、互いから区別されるものではない。例えば、「フィルム」はシートや板と呼ばれ得るような部材も含む概念である。
【００１７】
また、本明細書において、「シート面」とは、対象となるシート状（フィルム状、板状）の部材を全体的かつ大局的に見た場合において対象となるシート状部材（フィルム状部材、板状部材）の平面方向と一致する面のことを指す。以下の説明では、拡散層５０のシート面５０ａは、シート部１０のシート面と平行となっている。添付された各図において、拡散層５０の出光側の面を、拡散層５０のシート面５０ａとして図示する。
【００１８】
このシート部１０に蓄光パターン層３０が積層されている。上述のように、蓄光パターン層３０は、シート部１０の一方の面にスクリーン印刷によって形成されている。蓄光パターン層３０は、予め定められたパターンで配列された蓄光要素３１を含んでいる。図２に示すように、本実施の形態の蓄光要素３１は、シート部１０の一方の面上に二次元配列されている。すなわち、複数の蓄光要素３１が、シート部１０の一方の面上の異なる二以上の方向のそれぞれに、間隔を空けて並べて配置されている。図示する例では、複数の蓄光要素３１は、シート部１０の一方の面に平行な拡散層５０のシート面５０ａ内を延びる第１方向ｄ１及び第２方向ｄ２に間隔を空けて並べて配置されている。そして、第１方向ｄ１と第２方向ｄ２とは、互いに交差し、より詳細には互いに直交している。なお、図２に示すように、平面視において、各蓄光要素３１は、多角形、具体的には矩形の形状を有している。もっとも、このような例に限定されず、蓄光要素３１は、平面視において、楕円形や円形であってもよい。
【００１９】
図１に示すように、拡散層５０の法線方向ｎｄ及び第１方向ｄ１に平行な断面において、第１方向ｄ１に隣り合う蓄光要素３１の２つの部分の離間間隔Ｓ１は、当該隣り合う蓄光要素３１の各部分の当該断面における幅Ｗ１よりも狭い。同様に、拡散層５０の法線方向ｎｄ及び第２方向ｄ２に平行な断面において、第２方向ｄ２に隣り合う蓄光要素３１の２つの部分の離間間隔Ｓ２は、当該隣り合う蓄光要素３１の各部分の当該断面における幅Ｗ２よりも狭い（図２参照）。なお、本明細書において、拡散層５０の法線方向ｎｄとは、シート状からなる拡散層５０のシート面５０ａに対する法線方向を指す。
【００２０】
また、図１に示すように、各蓄光要素３１は、拡散層５０側を向く面を構成する表発光面３１ａと、当該表発光面３１ａと対向し反射層４０側を向く面を構成する裏発光面３１ｂと、を含んでいる。この場合、裏発光面３１ｂが、シート部１０の一方の面に対面している。
【００２１】
このような蓄光要素３１をなす材料として、例えば、光を蓄えて発光する性質をもつ蓄光顔料を用いることができる。蓄光顔料としては、硫黄系の顔料や酸化物系の顔料を用いることができる。また、この蓄光顔料を樹脂等で被覆してもよいし、シランカップリング剤で表面処理をしてもよい。また、蓄光顔料の平均粒径は、例えば、１μｍ〜１０００μｍ程度からなり、典型的には１０μｍ〜５００μｍ程度のものが用いられる。蓄光顔料の平均粒径が大きいほど、燐光特性がよい。蓄光顔料の平均粒径が小さくなると、蓄光材料の取り扱い性が向上する。なお、蓄光顔料の平均粒径とは、各々の蓄光顔料の最長径の平均を意味する。
【００２２】
なお、一般に、蓄光材料は、湿気にさらされると蓄光性能が低下し易い。また、蓄光材料は、顔料を多く含むため比較的剥がれ易い。従って、蓄光要素３１を外気にさらすことなく保護するために、蓄光要素３１を保護膜によって覆うことが好ましい。この点、本実施の形態では、後述するように、拡散層５０が蓄光要素３１を被覆し保護膜としても機能している。
【００２３】
次に、シート部１０の他方の面に積層された反射層４０について説明する。反射層４０は、シート部１０を間に介在させて蓄光パターン層３０に対して離間している。反射層４０は、蓄光要素３１から放出される光のうち、拡散層５０とは反対側に向かう光を反射して拡散層５０側に戻すために設けられている。また、反射層４０は、蓄光パターン層３０の蓄光要素３１が設けられていない部分を透過した外光を反射して蓄光パターン層３０に戻すためにも設けられている。このような反射層４０は、例えば、少なくとも蓄光パターン層３０側に面する表面又は全体が白色粒子や金属からなる高反射率の層によって形成され得る。また、反射層４０は、光を鏡面反射させる層として形成されてもよいし、光を拡散反射させる層として形成されてもよい。また、反射層４０での反射が拡散反射の場合には、当該反射は、等方性拡散でもよく、あるいは、異方性拡散でもよい。例えば、エンボス加工等によって、反射層４０の蓄光パターン層３０側に面する表面に微細な凹凸を形成することによって、反射層４０での反射を等方拡散とすることができる。また、例えば、反射層４０の前記表面にヘアライン加工を及ぼすことによって、反射層４０での反射を異方性拡散とすることができる。さらには、反射層４０の前記表面上に、プリズム、レンズ、マイクロレンズといった透明な光学要素が設けられ、これにより、反射層４０が、これらの光学要素に起因して、等方性拡散反射機能または異方性拡散反射機能を発現するようにしてもよい。
【００２４】
一例として、本実施の形態では、反射層４０の蓄光パターン層３０側に面する表面に複数の凹部４１が形成された例が示されている。図３に、反射層４０の凹部４１が拡大して示されている。図３に示すように、凹部４１は、反射層４０の蓄光パターン層３０側を向く面上の、蓄光要素３１に対面する位置にそれぞれ形成されている。各凹部４１は、図３に示す断面において、湾曲した形状を有している。各凹部４１は、当該凹部４１が対面する蓄光要素３１から拡散層５０の法線方向ｎｄに沿って最も離間した最深部４２と、当該凹部４１が対面する蓄光要素３１から拡散層５０の法線方向ｎｄに沿って最も接近した端部４３と、を含んでいる。各凹部４１の表面は、最深部４２から端部４３に向かうにつれて、拡散層５０の法線方向ｎｄにおける蓄光要素３１との距離が近づいていく。このような凹部４１によれば、凹部４１の各位置に入射する外光を、当該凹部４１に対面する蓄光要素３１に向かうように反射させることができる。このため、凹部４１で反射するより多くの外光を、当該凹部４１に対面する蓄光要素３１に集めることができる。
【００２５】
次に、蓄光パターン層３０に積層された拡散層５０について説明する。拡散層５０は、蓄光要素３１から放出された光の進行方向を変化させるために設けられている。また、拡散層５０は、少なくとも蓄光要素３１の拡散層５０側を向く面を覆い、蓄光要素３１を保護する機能も有している。このため、本実施の形態の拡散層５０の一方の面は、蓄光パターン層３０が形成されたシート部１０の面の全域を覆っている。一方、拡散層５０の他方の面５０ｂは、蓄光要素３１からの光を外部へ放出する出光面を形成している。この拡散層５０の他方の面５０ｂは、蓄光パターン層３０とは反対側を向いている。
【００２６】
図１及び図３に示すように、本実施の形態の拡散層５０は、バインダー樹脂部５１と、バインダー樹脂部５１中に分散された拡散成分５２と、を有している。拡散成分５２は、拡散層５０内を進む光に対し、反射または屈折によって、当該光の進路方向を変化させる作用を及ぼすようになっている。このような拡散成分５２の光拡散機能は、例えば、バインダー樹脂部５１をなす材料とは異なる屈折率を有した材料から構成することにより、あるいは、光に対して反射作用を及ぼし得る材料から構成することにより、付与することができる。なお、拡散成分５２の屈折率とバインダー樹脂部５１の屈折率との間に、０．１以上、より好ましくは０．２以上の屈折率差が存在すると、拡散成分５２が有効な光拡散機能を発現するようになる。このような拡散成分５２としては、例えば、平均粒径が０．５〜１００μｍ程度であるシリカ（二酸化珪素）、アルミナ（酸化アルミニウム）、アクリル樹脂、ポリカーボネート樹脂、シリコーン樹脂等の透明物質からなる粒子を用いることができる。また、拡散成分５２は単なる気泡であってもよい。
【００２７】
一方、バインダー樹脂部５１は、光を有効に透過しながら蓄光要素３１を被覆する。バインダー樹脂部５１をなす材料として、例えば、アクリル、スチレン、ポリカーボネート、ポリエチレンテレフタレート、アクリロニトリル等の一以上を主成分とする透明樹脂が用いられ得る。
【００２８】
次に、以上のような蓄光部材１の作用について説明する。先ず、蓄光部材１が発光する際の作用について、図３を参照して説明し、続いて、蓄光部材１が蓄光する作用について、図４を参照して説明する。
【００２９】
図３は、蓄光要素３１が発光した状態を示す部分断面図である。図３に示すように、蓄光要素３１が発光すると、表発光面３１ａから拡散層５０側に向かう光が放出され、裏発光面３１ｂから反射層４０側に向かう光が放出される。このうち、蓄光要素３１の表発光面３１ａから放出される光は、拡散層５０内を進んでいき、拡散層５０内で進行方向を変化させられる。これにより、蓄光要素３１から放出される光が、蓄光要素３１が設けられていない部分に対面する領域を通るように拡げられて、蓄光要素３１が設けられていない部分が暗く視えてしまうことを効果的に抑制することができる。
【００３０】
ここで、拡散層５０の蓄光パターン層３０とは反対側を向く面５０ｂ上の位置であって、図３に示す断面において隣り合う蓄光要素３１の２つの部分の中央となる位置に対面する位置Ｍに着目する。本実施の形態では、隣り合う蓄光要素３１の２つの部分のうちの一方から放出された光Ｌ１の一部が、前記位置Ｍから拡散層５０の法線方向ｎｄに沿って出射し、当該隣り合う蓄光要素３１の２つの部分のうちの他方から放出された光Ｌ２の一部も、前記位置Ｍから拡散層５０の法線方向ｎｄに沿って出射する。これにより、拡散層５０の蓄光パターン層３０とは反対側を向く面５０ｂに対面する位置から、蓄光部材１を観察したときに、隣り合う蓄光要素３１の間となる部分が暗く視えてしまうことをさらに効果的に抑制することができる。
【００３１】
好ましくは、拡散層５０の蓄光パターン層３０とは反対側を向く面５０ｂ上の位置であって、図３に示す断面において隣り合う蓄光要素３１の２つの部分の間となる位置に対面する任意の位置において、当該隣り合う蓄光要素３１の２つの部分のうちの一方から放出された光の一部が、拡散層５０の法線方向ｎｄに沿って出射し、当該隣り合う蓄光要素３１の２つの部分のうちの他方から放出された光の一部も、同一の前記位置から拡散層５０の法線方向ｎｄに沿って出射する。これにより、隣り合う蓄光要素３１の２つの部分のうちの一方に起因して発光しているとみられる領域と、隣り合う蓄光要素３１の２つの部分のうちの他方に起因して発光しているとみられる領域とが、部分的に重なって観察されることになる。このため、隣り合う蓄光要素３１の間となる部分が暗く視えてしまうことをさらに効果的に抑制することができる。
【００３２】
一方、図３に破線で示すように、蓄光要素３１の裏発光面３１ｂから放出される光は、蓄光パターン層３０と離間して配置された反射層４０で反射して拡散層５０側に戻される。上述したように、複数の蓄光要素３１は、第１方向ｄ１及び第２方向ｄ２に離間して配置されている。従って、反射層４０で反射した光の一部は、蓄光パターン層３０の蓄光要素３１が設けられていない領域を通過して、拡散層５０内を進んでいく。また、反射層４０で反射したその他の光は、蓄光要素３１に吸収されたり、蓄光要素３１で反射されて再び反射層４０に向かう。
【００３３】
次に、蓄光部材１が蓄光する際の作用について、図４を参照して説明する。図４は、蓄光部材１に外光が入射した状態を示す部分断面図である。図４に示すように、蓄光部材１に入射する外光は、拡散層５０で進行方向を曲げられながら拡散層５０を透過していく。拡散層５０を透過した外光は、蓄光パターン層３０に向かう。このうち、一部の外光は、蓄光要素３１に到達し、当該蓄光要素３１に吸収されて蓄えられる。一方、その他の外光は、蓄光パターン層３０のうち蓄光要素３１が設けられていない部分を透過し、反射層４０で反射して、蓄光パターン層３０側に戻される。これにより、戻された光を蓄光要素３１に吸収させて蓄えることができるため、より多くの外光を蓄光要素３１に取り込んで蓄えることができる。
【００３４】
とりわけ、本実施の形態では、反射層４０の蓄光パターン層３０側に面する表面に複数の凹部４１が形成されている。このような凹部４１によれば、凹部４１の各位置に入射する外光を、当該凹部４１に対面する蓄光要素３１に向かうように反射させることができる。このため、凹部４１で反射するより多くの外光を、当該凹部４１に対面する蓄光要素３１に集めることができる。
【００３５】
以上のように、本実施の形態によれば、蓄光部材１は、予め定められたパターンで配列された蓄光要素３１を含む蓄光パターン層３０と、蓄光パターン層３０の一方の側に設けられた拡散層５０と、蓄光パターン層３０から離間するようにして当該蓄光パターン層３０の他方の側に設けられた反射層４０と、を備えている。このような形態によれば、蓄光部材１に外光が入射すると、外光は拡散層５０を透過して蓄光パターン層３０に向かう。蓄光パターン層３０に向かう光の一部は、蓄光要素３１に到達し、当該蓄光要素３１に吸収されて蓄えられる。一方、蓄光パターン層３０に向かうその他の光は、蓄光パターン層３０のうち蓄光要素３１が設けられていない部分を透過する。この透過した光は、反射層４０で反射して、蓄光パターン層３０側に戻される。これにより、戻された光を蓄光要素３１に吸収させることができるため、より多くの光を蓄光要素３１に蓄えることができる。一方、蓄光要素３１が発光すると、拡散層５０側に向かう光と、反射層４０側に向かう光と、が放出される。拡散層５０側に向かう光は、拡散層５０内を透過していき、拡散層５０内で進行方向を変化させられる。これにより、蓄光要素３１から放出される光が通過する領域が、蓄光要素３１が設けられていない部分に対面する領域まで拡げられて、蓄光要素３１が設けられていない部分が暗く視えてしまうことを効果的に抑制することができる。他方、反射層４０側に向かう光は、反射層４０で反射して、拡散層５０側に戻される。これにより、より多くの光が拡散層５０で進行方向を変化させられながら透過していく。これらの結果、蓄光材料を効率よく利用すると共に、発光時における明るさのむらを目立たなくすることができる。
【００３６】
また、本実施の形態によれば、拡散層５０の法線方向ｎｄに沿った断面において隣り合う蓄光要素３１の２つの部分の離間間隔Ｓ１、Ｓ２は、当該隣り合う蓄光要素３１の各部分の前記断面における幅Ｗ１、Ｗ２よりも狭い。この場合、隣り合う蓄光要素３１の２つの部分の離間間隔Ｓ１、Ｓ２が、蓄光要素３１の大きさに対して広くなり過ぎることを防止することができるため、隣り合う蓄光要素３１の間となる部分が暗く観察されることをさらに効果的に抑制することができる。結果として、発光時における明るさのむらをより目立たなくすることができる。
【００３７】
また、本実施の形態によれば、拡散層５０は、少なくとも蓄光要素３１の拡散層５０側を向く面を覆っている。これにより、蓄光要素３１を保護することができる。この結果、蓄光要素３１が湿気にさらされて蓄光機能が低下することを防止すると共に、蓄光要素３１が剥がれてしまうことも防止することができる。
【００３８】
ここで、図５に、上述した蓄光部材１を標示器２に利用した例を示す。図５に示すように、蓄光部材１は、発光する発光領域３と、当該発光領域３の周りに配置された非発光領域４と、を有している。標示器２は、発光領域３または非発光領域４の輪郭で、特定の情報を表示するようになっている。図５に示す例において、標示器２の示す情報は、「非常口」という文字情報である。この場合、上述した蓄光部材１は、発光領域３内に配置される。この使用例によれば、表示領域２が示す情報をむらのない明るさで表示することができる。
【００３９】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００４０】
上述した実施の形態では、図２に示すように、複数の蓄光要素３１が二次元配列されている例を示したが、蓄光要素３１の配列パターンは、上述した配列パターンに限定されない。図６に、蓄光要素３１の他の配列パターンを示す。図６に示す例では、蓄光要素３１は、第１方向ｄ１に帯状に延びる複数の第１部分３２と、第１方向ｄ１と直交する第２方向ｄ２に帯状に延びる複数の第２部分３３と、を含んでいる。すなわち、蓄光要素３１は、格子状のパターンで配置されている。
【００４１】
この例においても、拡散層５０の法線方向ｎｄ及び第１方向ｄ１に平行な断面において、第１方向ｄ１に隣り合う蓄光要素３１の２つの部分３３の離間間隔Ｓ１は、当該隣り合う蓄光要素３１の各部分３３の当該断面における幅Ｗ１よりも狭い。同様に、拡散層５０の法線方向ｎｄ及び第２方向ｄ２に平行な断面において、第２方向ｄ２に隣り合う蓄光要素３１の２つの部分３２の離間間隔Ｓ２は、当該隣り合う蓄光要素３１の各部分３２の当該断面における幅Ｗ２よりも狭い。
【００４２】
また、上述した実施の形態において、拡散層５０は、バインダー樹脂部５１と、バインダー樹脂部５１中に分散された拡散成分５２と、を有している例を示したが、拡散層５０の形態は、上述した例に限定されない。図７に、拡散層５０の他の形態を示す。図７に示す例では、拡散層５０は、蓄光パターン層３０が形成されたシート部１０の面を覆う透明樹脂層５４と、透明樹脂層５４の蓄光パターン層３０とは反対側となる面に配置されたレンズ部５５と、を含んでいる。このうち、透明樹脂層５４は、各蓄光要素３１を覆うと共に、レンズ部５５をシート部１０に対して接合している。
【００４３】
レンズ部５５は、複数の単位レンズ５６を含んでいる。このレンズ部５５として、光拡散機能を発揮するレンズであれば特に限定されず、例えばレンチキュラーレンズやフライアイレンズを採用することができる。図７に示す例では、レンズ部５５は、フライアイレンズで構成されている。フライアイレンズは、蝿の目レンズとも呼ばれ、平面上の異なる二以上の方向のそれぞれに、規則的な間隔または非規則的（ランダム）な間隔で、二次元配列された多数の単位レンズ５６を有する。各単位レンズ５６は、拡散層５０の法線方向ｎｄに平行な断面において、例えば、円の一部分または楕円の一部分に相当する形状を有している。フライアイレンズを構成するレンズ部５５によれば、蓄光要素３１から放出される光の進行方向を変化させて拡散させることができる。
【００４４】
ここで、拡散層５０の蓄光パターン層３０とは反対側を向く面５０ｂ上の位置であって、図７に示す断面において隣り合う蓄光要素３１の２つの部分の中央となる位置に対面する位置Ｍに着目する。本実施の形態においても、隣り合う蓄光要素３１の２つの部分のうちの一方から放出された光Ｌ１の一部が、前記位置Ｍから拡散層５０の法線方向ｎｄに沿って出射し、当該隣り合う蓄光要素３１の２つの部分のうちの他方から放出された光Ｌ２の一部も、前記位置Ｍから拡散層５０の法線方向ｎｄに沿って出射するように、レンズ部５５と蓄光要素３１との配置関係が調整されている。
【符号の説明】
【００４５】
１    蓄光部材
１０  シート部
３０  蓄光パターン層
３１  蓄光要素
４０  反射層
４１  凹部
５０  拡散層
５０ａ  シート面
５１  バインダー樹脂部
５２  拡散成分
ｄ１   第１方向
ｄ２   第２方向
Ｌ１、Ｌ２  光路
Ｓ１、Ｓ２  離間間隔
Ｗ１、Ｗ２  幅
【図１】
2015052763.tif 000003
【図２】
2015052763.tif 000004
【図３】
2015052763.tif 000005
【図４】
2015052763.tif 000006
【図５】
2015052763.tif 000007
【図６】
2015052763.tif 000008
【図７】
2015052763.tif 000009